(57)【要約】【課題】爪削り器。【解決手段】球体ケース１は手動又は電動等でヤスリ５ａ、５ｂ、５ｃをコントロールするための部材を球体ケース１内部収納するための蓋８を設け、当該球体ケース１をＬ型に形成し、垂直面２にヤスリ５ａ又は５ｂそれぞれを取り付ける取付け孔４ａ４ｂを設け、当該ヤスリ５ａ又は５ｂには取付けシャフト６ａ６ｂがそれぞれ設けている。爪１２削りは、Ｌ型水平面３に指の腹を乗せ爪１２がヤスリ５ａ又は５ｂに略水平に接触させ球体ケース１を左右に動かして削る。電動の場合は、前記記載の通り爪１２削りは、Ｌ型水平面３に指の腹を乗せ電源ＳＷ１１をＯＮすると電池１０が動作しモーター９に電圧が供給され可動部７に係合するヤスリ５ａが左右に動作し球体ケース１を爪１２のカーブに沿って動かし削る。【選択図】図３
2016087394.tif 000002
【特許請求の範囲】
【請求項１】
伸びた爪を切らずにヤスリで削る爪削り器であって、当該、爪先と接し爪を削る構造体は、Ｌ型であってＬ型内側２面の内の垂直面の一部又は全面にヤスリ加工を施し、水平面の一部、又は全面に滑り加工を施すか、或いは水平面の一部、又は全面が左右方向へ水平に可動可能な機構としたことを特徴とした爪削り器。
【請求項２】
当該Ｌ型の構造体垂直部の面にはヤスリ加工を施すが、ヤスリ加工全体を同一のヤスリ目としてもよいが、２等分、３等分と複数に分割し、それぞれのヤスリ目の粗さを変えてもよい、更にヤスリ加工部をＬ型本体から着脱容易とし、簡単に交換できるような構造としたことを特徴とした請求項１記載の爪削り器。
【請求項３】
当該Ｌ型の構造体垂直部の面にはヤスリ加工を施すが、ヤスリ加工部分だけを電動で往復運動させるか、或いはヤスリ加工部分を円形にし、回転させ、接した爪先を削る構造としたことを特徴とした請求項１、及び２記載の爪削り器。
【請求項４】
当該Ｌ型の構造体の形状には特にこだわらないが、手の掌にスッポリと入り、手の掌にジャストフィットするサイズで、電動用のモーター、電池等を収納するに適した球体、或いは球体に近い形状を有したことを特徴とした請求項１、及び２、３記載の爪削り器。
【発明の詳細な説明】
【技術分野】
【０００１】本発明は、伸びた爪を従来の爪切り等で切るのではなく、ヤスリで削って短くすることを目的とした機器に関するものである。
【背景技術】
【０００２】従来から伸びた爪はテコの原理を利用したタイプの爪切り、及びニッパーやヤットコ、ハサミ等で爪を切るのが一般的であった。
【発明の概要】
【発明が解決しようとする課題】
【０００３】前記した爪切りの道具は現在でも多く使用されているが、これらの爪切りはどれも老若男女を問わず誰もが安全に扱えるとは云い難く、特に高齢者や子供にとっては危なく、必ずしも使い易いとはいえなかった。
【課題を解決する手段】
【０００４】本発明は伸びた爪を切るのではなく、Ｌ型で垂直と水平方向にそれぞれ面を持つ構造体であって、垂直部の全面、或いは、一部にヤスリ加工を施し、Ｌ型の水平部へ指の腹を乗せ、Ｌ型の垂直部に設けたヤスリへ爪先を接しめ、指を左右へ移動するか、Ｌ型構造体自体を左右へ可動させ爪を削る。指の腹を乗せた面は指がスムーズに左右へ移動しやすいように良く滑る加工を施すか、指の腹を乗せる面をＬ型構造体から独立させ、その部分だけが左右に可動する機構としてもよい。或いはＬ型構造体の垂直部に設けたヤスリの方を、Ｌ型構造体から分離し、電動により左右へ可動させヤスリに接した爪を削る。或いはヤスリを円形状にし、回転させ、同じようにヤスリに接した爪を削る。爪を削る際、指の腹をＬ型構造体水平面へ乗せるので指先が安定し微調整も容易になるので削り加減も簡単に出来る。Ｌ型構造体を空洞の球体、或いは球体に近い形状にすることで、手の掌にスッポリと収まり、手の掌にジャストフィットする。
更に非電動、或いは電動とする場合においても空洞のＬ型構造体内部に電池やモーター等の部品を収納することが出来る、又ヤスリ部を２等分、３等分と複数に分けて、それぞれのヤスリ目の粗さを加減することで削り方に自由度が加味させることが出来、ヤスリ部だけを簡単に交換出来る構造である為、殆どの要望に応えることが可能である等、数々の特長を持ち合わせている。
【発明の効果】
【０００５】爪の削り具合を微妙に調節することが可能で、老若男女を問わず誰もが安全に扱える。
【０００６】非電動においては構成部品が少なく、電動であっても構成部品の全てがＬ型構造体内へ収納され、全体のサイズが手のひらに収まる程度の大きさとしたことで扱いやすい。
【図面の簡単な説明】
【０００７】
【図１】本発明の爪削り器請求項１記載を示す斜視図。
【図２】本発明の爪削り器請求項２〜４記載のヤスリ着脱構造を示す斜視図。
【図３】本発明の爪削り器請求項２〜４記載のＬ型の構造を示す斜視図。
【図４】本発明の爪削り器請求項２〜４記載のヤスリ分割状態を示す斜視図。
【図５】本発明の爪削り器請求項３及４記載の円形ヤスリ使用の構造を示す斜視図。
【図６】本発明の爪削り器請求項１記載の実施例を示す斜視図。
【図７】本発明の爪削り器請求項２〜４記載の実施例を示す斜視図。
【図８】本発明の爪削り器請求項３及４記載の実施例を示す斜視図。
【発明を実施するための形態】
【０００８】本発明は球体をＬ型にカットした形状を形成し、当該Ｌ型状の内側垂直面に爪を削るヤスリを設け、水平面は滑りやすい面加工を施し、前記垂直面に設けたヤスリを手動又は電動、で左右に可動させ、又円形の場合は回転させ、Ｌ型水平面に指の腹を乗せ指又は球体を水平に左右又は円状に動かし、容易に爪削りが出来る事を実現した。
【実施例】
【０００９】本発明の実施例を図１〜８に依って説明する。
球体ケース１は手動又は電動等でヤスリ５ａ、５ｂ、５ｃをコントロールするための部材を球体ケース１の内部へ収納するための蓋８を設け、爪削りを容易にかつ安全に行うため、当該球体ケース１の一部をＬ型に形成し、垂直面２にヤスリ５ａ又は５ｂそれぞれを取り付ける取付け孔４ａ４ｂを設けている。当該ヤスリ５ａ又は５ｂには取付けシャフト６ａ６ｂがそれぞれ設けられヤスリの目の粗さの違うもの、複数の目の粗さを組み合わせたもの等取付け交換は容易にできるよう構成している。【００１０】又Ｌ型水平面３は爪１２を削る際楽に指の腹を動かせるよう滑りやすく形成してあり手動で爪１２を削るには、Ｌ型水平面３に指の腹を乗せ爪１２がヤスリ５ａ又は５ｂに略水平に接触させ球体ケース１を左右に動かして削るか、或いは指自体を動かして削る。【００１１】電動の場合は、前記記載の通り爪１２削りは、Ｌ型水平面３に指の腹を乗せ電源ＳＷ１１をＯＮすると電池１０が動作しモーター９に電圧が供給され可動部７が左右に動作し球体ケース１を爪１２のカーブに沿って動かすか、或いは指自体を動かして削る。
なお、円形のヤスリ５ｃも同じ手順であるが、該ヤスリ５ｃの回転で削る。
【符号の説明】
【００１２】１：球体ケース
２：Ｌ型垂直面
３：Ｌ型水平面
４ａ、４ｂ：取付け孔
５ａ、５ｂ、５ｃ：ヤスリ
６ａ、６ｂ：取付けシャフト
７：可動部
８：蓋
９：モーター
１０：電池
１１：電源ＳＷ
１２：爪
【図１】
2016087394.tif 000003
【図２】
2016087394.tif 000004
【図３】
2016087394.tif 000005
【図４】
2016087394.tif 000006
【図５】
2016087394.tif 000007
【図６】
2016087394.tif 000008
【図７】
2016087394.tif 000009
【図８】
2016087394.tif 000010
【手続補正書】
【提出日】平成27年11月6日(2015.11.6)
【手続補正１】
【補正対象書類名】特許請求の範囲
【補正対象項目名】全文
【補正方法】変更
【補正の内容】
【特許請求の範囲】
【請求項１】
指の腹を載置した状態で当該指を左右に移動可能な幅を有する指台（３）と、
当該指台に当該指を載置した状態で当該指の爪に当接する位置にヤスリ（５ａ，５ｂ，５ｃ）を保持すべく当該指台から立ち上がる起立壁（２）
とを有し、
当該指と当該ヤスリのいずれかを相対的に左右に移動することで当該爪を削ることができる
ことを特徴とする爪削り器。
【請求項２】
当該ヤスリが、高さ方向でヤスリ目の粗さが異なることを特徴とする請求項１に記載の爪削り器。
【請求項３】
当該ヤスリが、当該起立壁から取り外し可能であることを特徴とする請求項１または２に記載の爪削り器。
【請求項４】
さらに、前記ヤスリを当該指の左右方向に反復移動させる電動手段を具備することを特徴とする請求項１から３のいずれか１項に記載の爪削り器。
【請求項５】
前記ヤスリが円形のヤスリ（５ｃ）からなることを特徴とする請求項１から３のいずれか１項に記載の爪削り器。
【手続補正２】
【補正対象書類名】明細書
【補正対象項目名】全文
【補正方法】変更
【補正の内容】
【発明の詳細な説明】
【技術分野】
【０００１】
本発明は、伸びた爪を従来の爪切り等で切るのではなく、ヤスリで削って短くすることを目的とした機器に関するものである。
【背景技術】
【０００２】
従来から伸びた爪はテコの原理を利用したタイプの爪切り、及びニッパーやヤットコ、ハサミ等で爪を切るのが一般的であった。
【０００３】
研磨材を板面に塗布した爪手入れ器が特許文献１に記載されている。電動で爪を削る装置が、特許文献２，３，４，５に記載されている。
【先行技術文献】
【特許文献】
【０００４】
【特許文献１】特開２０１４?１４４１８４号公報
【特許文献２】実開昭６３?１３６５０７号公報
【特許文献３】特開平０９?１４９８１２号公報
【特許文献４】特開２００９?０６６３６９号公報
【特許文献５】特開２００９?２０７８５３号公報
【発明の概要】
【発明が解決しようとする課題】
【０００５】
前記した爪切りの道具は現在でも多く使用されているが、これらの爪切りはどれも老若男女を問わず誰もが安全に扱えるとは云い難く、特に高齢者や子供にとっては危なく、必ずしも使い易いとはいえなかった。
【０００６】
本発明は、このような問題を解決する爪削り器を提示することを目的とする。
【課題を解決するための手段】
【０００７】
本発明に係る爪削り器は、指の腹を載置した状態で当該指を左右に移動可能な幅を有する指台と、当該指台に当該指を載置した状態で当該指の爪に当接する位置にヤスリを保持すべく当該指台から立ち上がる起立壁とを有し、当該指と当該ヤスリのいずれかを相対的に左右に移動することで当該爪を削ることができることを特徴とする。
【０００８】
本発明は伸びた爪を切るのではなく，Ｌ型で垂直と水平方向にそれぞれ面を持つ構造体であって、垂直部の全面、或いは、一部にヤスリ加工を施し、Ｌ型の水平部へ指の腹を乗せ、Ｌ型の垂直部に設けたヤスリヘ爪先を接しめ、指を左右へ移動するか、Ｌ型構造体自体を左右へ可動させ爪を削る。指の腹を乗せた面は指がスムーズに左右へ移動しやすいように良く滑る加工を施すか、指の腹を乗せる面をＬ型構造体から独立させ，その部分だけが左右に可動する機構としてもよい。或いはＬ型構造体の垂直部に設けたヤスリの方を、Ｌ型構造体から分離し、電動により左右へ可動させヤスリに接した爪を削る。或いはヤスリを円形状にし，回転させ、同じようにヤスリに接した爪を削る。爪を削る際、指の腹をＬ型構造体水平面へ乗せるので指先が安定し微調整も容易になるので削り加減も簡単に出来る。Ｌ型構造体を空洞の球体、或いは球体に近い形状にすることで、手の掌にスッポリと収まり、手の掌にジャストフィットする。更に非電動、或いは電動とする場合においても空洞のＬ型構造体内部に電池やモーター等の部品を収納することが出来る、又ヤスリ部を２等分、３等分と複数に分けて、それぞれのヤスリ目の粗さを加減することで削り方に自由度が加味させることが出来、ヤスリ部だけを簡単に交換出来る構造である為、殆どの要望に応えることが可能である等、数々の特長を持ち会わせている。
【発明の効果】
【０００９】
爪の削り具合を微妙に調節することが可能で、老若男女を問わず誰もが安全に扱える。
【００１０】
非電動においては構成部品が少なく、電動であっても構成部品の全てがＬ型構造体内へ収納され、全体のサイズが手のひらに収まる程度の大きさとしたことで扱いやすい。
【図面の簡単な説明】
【００１１】
【図１】本発明の爪削り器の実施例を示す斜視図。
【図２】本発明の爪削り器の実施例のヤスリ着脱構造を示す斜視図。
【図３】本発明の爪削り器の実施例の内部構造を示す斜現図。
【図４】本発明の爪削り器の実施例のヤスリ分割状態を示す斜視図。
【図５】本発明の爪削り器の円形ヤスリ使用の構造の実施例を示す斜視図。
【図６】本発明の爪削り器の実施例の手動による爪削り方法を示す斜視図。
【図７】本発明の爪削り器の実施例の電動による爪削り方法を示す斜視図。
【図８】本発明の爪削り器の円形ヤスリ使用の構造の実施例の爪削り方法を示す斜視図。
【発明を実施するための形態】
【００１２】
本発明は球体をＬ型にカットした形状を形成し、当絃Ｌ型状の内側垂直面に爪を削るヤスリを設け、水平面は滑りやすい面加工を施し、前記垂直面に設けたヤスリを手動又は電動、で左右に可動させ、又円形の場合は回転させ、Ｌ型水平面に指の腹を乗せ指又は球体を水平に左右文は円状に動かし、容易に爪削りが出来る事を実現した。
【実施例１】
【００１３】
本発明の実施例を図ｌ〜８に依って説明する。
【００１４】
球体ケース１は手動又は電動等でヤスリ５ａ、５ｂ、５ｃをコントロールするための部材を球体ケース１の内部へ収納するための蓋８を設け、爪削りを容易にかつ安全に行うため、当該球体ケース１の一部をＬ型に形成し、垂直面２にヤスリ５ａ又は５ｂそれぞれを取り付ける取付け孔４ａ４ｂを設けている。当該ヤスリ５ａ又は５ｂには取付けシャフト６ａ６ｂがそれぞれ設けられヤスリの目の粗さの違うもの、複数の目の粗さを組み合わせたもの等取付け交換は容易にできるよう構成している。
【００１５】
又Ｌ型水平面３は爪１２を削る際楽に指の腹を動かせるよう滑りやすく形成してあり手動で爪１２を削るには、Ｌ型水平面３に指の腹を乗せ爪１２がヤスリ５ａ又は５ｂに略水平に接触させ球体ケース１を左右に動かして削るか、或いは指自体を動かして削る。
【００１６】
電動の場合は、前記記載の通り爪１２削りは、Ｌ型水平面３に指の腹を乗せ電源ＳＷ１１をＯＮすると電池１０が動作しモーター９に電圧が供給され可動部７が左右に動作し球体ケース１を爪１２のカーブに沿って動かすか、或いは指自体を動かして削る。
【００１７】
なお、円形のヤスリ５ｃも同じ手順であるが，該ヤスリ５ｃの回転で削る。
【符号の説明】
【００１８】
１：球体ケース
２：Ｌ型垂直面
３：Ｌ型水平面
４ａ，４ｂ：取付け孔
５ａ、５ｂ、５ｃ：ヤスリ
６ａ，６ｂ：取付けシャフト
７：可動部
８：蓋
９：モーター
１０：電池
１１：電源ＳＷ
１２：爪